【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
電源を負荷に接続し、電気の流れを妨げる開位置と電気の流れを可能にする閉位置との間で作動できるように構成された構成要素における直流電気アークを検出し抑制するための装置であって、
前記構成要素の電源側に電気的に接続された入力端子と、
前記構成要素の負荷側に電気的に接続された出力端子と、
前記構成要素に並列に電気的に接続されるように前記入力端子と前記出力端子に電気的に接続された検出回路であって、前記構成要素が開位置と閉位置の間で作動するときに前記構成要素の両端における大きい電圧スパイクを検出するように構成され、また、前記大きい電圧スパイクを検出したときに制御信号を伝送するように構成され、前記大きい電圧スパイクの前記検出と、前記制御信号の前記伝送との両方を可能にする互いに直接電気的に接続された複数の回路要素を含む検出回路と、
前記制御信号を受け取ったとき前記構成要素の前記電源側から前記構成要素の前記負荷側に電気を通すスイッチング回路とを有し、
前記検出回路が、ダイオードと、ツェナーダイオードとを有し、前記ツェナーダイオードは、前記ダイオードに直接電気的に接続され、
前記検出回路が、前記入力端子に直接電気的に接続されたキャパシタと、前記入力端子と反対側で前記キャパシタに直接電気的に接続された抵抗器を含み、前記抵抗器が、前記出力端子に直接電気的に接続され、
前記ダイオードが、前記入力端子と反対側で前記キャパシタに直接電気的に接続された、装置。
【請求項２】
前記大きい電圧スパイクが、前記構成要素内の電気アーク放電を引き起こすのに十分な電圧になる、請求項１に記載の装置。
【請求項３】
前記抵抗器が、少なくとも１０ＫΩのインピーダンスを提供する、請求項１に記載の装置。
【請求項４】
前記検出回路が、前記ダイオードと反対側で前記ツェナーダイオードに直接電気的に接続された他の抵抗器を含み、前記他の抵抗器が、当該他の抵抗器と前記ツェナーダイオードが互いに並列になるように前記出力端子に直接電気的に接続された、請求項１に記載の装置。
【請求項５】
前記他の抵抗器が、前記抵抗器によって提供されるインピーダンスより実質的に小さいインピーダンスを提供する、請求項４に記載の装置。
【請求項６】
前記スイッチング回路が、前記検出回路から前記制御信号を受け取り、前記制御信号の受け取りに基づいて、前記入力端子から前記出力端子に電気を通すように構成されたソリッドステートトリガブルスイッチを含む、請求項４に記載の装置。 
【請求項７】
前記ソリッドステートトリガブルスイッチが、電界効果トランジスタ（ＦＥＴ）である、請求項６に記載の装置。
【請求項８】
前記スイッチング回路が、前記ソリッドステートトリガブルスイッチを前記入力端子に電気的に接続する他のダイオードを含み、前記他のダイオードが、前記入力端子と前記ソリッドステートトリガブルスイッチの間の電流を制限するように構成された、請求項６に記載の装置。
【請求項９】
前記ソリッドステートトリガブルスイッチが、シリコン制御整流器である、請求項６に記載の装置。
【請求項１０】
前記ソリッドステートトリガブルスイッチが、光電スイッチである、請求項６に記載の装置。
【請求項１１】
電源を負荷に接続し、電気の流れを妨げる開位置と電気の流れを可能にする閉位置との間で作動できるように構成された構成要素における直流電気アークを検出し抑制するための方法であって、
入力端子を前記構成要素の電源側に電気的に接続するステップと、
出力端子を前記構成要素の負荷側に電気的に接続するステップと、
前記構成要素に並列に電気的に接続されるように検出回路を入力端子と出力端子に電気的に接続するステップであって、前記検出回路が、前記構成要素が開位置と閉位置の間で作動するときに前記構成要素の両端における大きい電圧スパイクを検出するように構成され、前記検出回路が、また、前記大きい電圧スパイクを検出したときに制御信号を伝送するように構成され、前記検出回路が、前記大きい電圧スパイクの検出と、前記制御信号の前記伝送の両方を可能にする、ダイオードとツェナーダイオードとを含む互いに直接電気的に接続された複数の回路要素を含み、前記ツェナーダイオードが直接電気的に前記ダイオードに接続されたステップと、
スイッチング回路が前記制御信号を受け取ったとき前記構成要素の前記電源側から前記構成要素の前記負荷側に電気を通すステップとを含み、
前記検出回路が、前記入力端子に直接電気的に接続されたキャパシタと、前記入力端子と反対側で前記キャパシタに直接電気的に接続された抵抗器とを含み、前記抵抗器が、前記出力端子に直接電気的に接続され、
前記ダイオードが、前記入力端子と反対側で前記キャパシタに直接電気的に接続された、方法。
【請求項１２】
前記スイッチング回路が、前記検出回路から前記制御信号を受け取り、前記制御信号の受け取りに基づいて、前記入力端子から前記出力端子に電気を通すように構成されたソリッドステートトリガブルスイッチを含む、請求項１１に記載の方法。
【請求項１３】
前記スイッチング回路が、前記ソリッドステートトリガブルスイッチを前記入力端子に電気的に接続する他のダイオードを含み、前記他のダイオードが、前記入力端子と前記ソリッドステートトリガブルスイッチの間の電流を制限するように構成された、請求項１２に記載の方法。
【請求項１４】
電源を負荷に接続し、電気の流れを妨げる開位置と電気の流れを可能にする閉位置との間で作動できるように構成された構成要素における直流電気アークを検出し抑制するための装置であって、
前記構成要素の電源側に電気的に接続された入力端子と、
前記構成要素の負荷側に電気的に接続された出力端子と、
前記構成要素に並列に電気的に接続されるように前記入力端子と前記出力端子に電気的に接続された検出手段であって、前記構成要素が開位置と閉位置の間で作動するときに前記構成要素の両端における大きい電圧スパイクを検出するように構成され、また、前記大きい電圧スパイクを検出したときに制御信号を伝送するように構成され、前記大きい電圧スパイクの前記検出と前記制御信号の前記伝送の両方を可能にする、互いに直接電気的に接続された複数の回路要素を含み、前記回路要素が、前記入力端子に直接電気的に接続されたキャパシタと、前記入力端子と反対側で前記キャパシタに直接電気的に接続されたダイオードとを有し、前記ダイオードがツェナーダイオードに直接電気的に接続された、検出手段と、
前記制御信号を受け取ったとき前記構成要素の前記電源側から前記構成要素の前記負荷側に電気を通す手段とを含み、
前記キャパシタは、前記入力端子に直接電気的に接続され、抵抗器が、前記入力端子と反対側で前記キャパシタに直接電気的に接続され、前記抵抗器が、また、前記出力端子に直接電気的に接続され、
前記ダイオードが、前記入力端子と反対側で前記キャパシタに直接電気的に接続された、装置。
【請求項１５】
電源を負荷に接続し、電気の流れを妨げる開位置と電気の流れを可能にする閉位置との間で作動できるように構成された構成要素における直流電気アークを検出し抑制するための装置であって、
前記構成要素の電源側に電気的に接続された入力端子と、
前記構成要素の負荷側に電気的に接続された出力端子と、
前記構成要素に並列に電気的に接続されるように前記入力端子と前記出力端子に電気的に接続された検出回路であって、前記構成要素が開位置と閉位置の間で作動するときに前記構成要素の両端における大きい電圧スパイクを検出するように構成され、また、前記大きい電圧スパイクを検出したときに制御信号を伝送するように構成され、前記大きい電圧スパイクの前記検出と前記制御信号の前記伝送の両方を可能にする、互いに直接電気的に接続された複数の回路要素を有する検出回路と、
ゲートを有するスイッチング素子を含むスイッチング回路であり、前記制御信号を受け取ったとき前記構成要素の前記電源側から前記構成要素の前記負荷側に電気を通すスイッチング回路と、を備え、
前記検出回路が、ツェナーダイオードを有し、前記ツェナーダイオードが、前記スイッチング素子の前記ゲートに直接電気的に接続され、
前記検出回路が、前記入力端子に直接電気的に接続されたキャパシタと、前記入力端子と反対側で前記キャパシタに直接電気的に接続された抵抗器とを含み、前記抵抗器が、また、前記出力端子に直接電気的に接続され、
前記検出回路が、前記入力端子と反対側で前記キャパシタに直接電気的に接続されたダイオードを有する、装置。